(57)【要約】【課題】係止ピンを使用するときに自動的に突出させることにより、出入りの邪魔にならないようにするとともに、玄関の見栄えを向上させ、さらに、従来の係止ピンを固定していたねじ穴を使用して取り付けることができるドアガード装置を提供すること。【解決手段】係止ピン５を出没可能に収容するケーシング６をドアフレームＦの戸当たりＦ１の室内側に配設し、ケーシング６から戸当たりＦ１の内側面に沿って、ねじ固定部７１を有する薄板状の取付ガイド部７を延設するとともに、取付ガイド部７に摺動可能に案内され、戸当たり面Ｆ２側に付勢して突出する作動ボタン８を設け、作動ボタン８が閉止したドアＤに押し込まれることにより係止ピン５を係止アーム２が掛け止められる突出状態にし、かつドアＤを開放することにより作動ボタン８が復帰して係止ピン５を突出状態から退入状態にする出没機構を設ける。【選択図】図１
2010116757.tif 000002
【特許請求の範囲】
【請求項１】
ドアに係止アームを揺動可能に取り付けるとともに、該係止アームのスライド溝を、ドアフレームに設けた係止ピンにスライド可能に掛け止めるドアガード装置において、係止ピンを出没可能に収容するケーシングをドアフレームの戸当たりの室内側に配設し、該ケーシングから戸当たりに沿って、ねじ固定部を有する薄板状の取付ガイド部を延設するとともに、該取付ガイド部に摺動可能に案内され、戸当たり面側に付勢して突出する作動ボタンを設け、該作動ボタンが閉止したドアに押し込まれることにより係止ピンを係止アームが掛け止められる突出状態にし、かつドアを開放することにより作動ボタンが復帰して係止ピンを突出状態から退入状態にする出没機構を設けたことを特徴とするドアガード装置。
【請求項２】
出没機構が、揺動により出没するよう枢支された係止ピンと、係止ピンの基部に設けられたピニオンギヤと、該ピニオンギヤを回転させる、作動ボタンと共に摺動するラック部材とを備えたことを特徴とする請求項１記載のドアガード装置。
【請求項３】
ねじ固定部が、ねじ軸が移動可能に挿通する長溝を有するねじアダプタと、該ねじアダプタを長溝の幅方向に移動可能に支持する開口部とを備えたことを特徴とする請求項１又は２記載のドアガード装置。
【請求項４】
作動ボタンに、閉止したドアとの隙間を吸収する調整ばねを設けたことを特徴とする請求項１、２又は３記載のドアガード装置。
【請求項５】
係止アームの台座に上下にあり溝を形成するとともに、該あり溝に摺動可能に挿入される台座レールを設け、該台座レールを介して台座を所定範囲で上下動可能にドアに取り付けたことを特徴とする請求項１、２、３又は４記載のドアガード装置。
【請求項６】
台座と台座レールを磁力で吸着するようにしたことを特徴とする請求項５記載のドアガード装置。
【発明の詳細な説明】
【技術分野】
【０００１】
本発明は、玄関等のドアを半開きの状態でロックすることができるドアガード装置に関し、特に、係止ピンを使用するときに自動的に突出させることにより、出入りの邪魔にならないようにするとともに、玄関の見栄えを向上させ、さらに、従来の係止ピンを固定していたねじ穴を使用して取り付けることができるドアガード装置に関するものである。
【背景技術】
【０００２】
従来、玄関ドア等の防犯用として、ドア本体に取り付けたシリンダー錠とは別に、防犯の用心鎖としてドアガード装置が設置されている。
このドアガード装置は、例えば、図１０〜図１１に示すように、ドアＤに揺動可能に取り付けられた係止アーム２と、ドアフレームＦ側に固定され、係止アーム２のスライド溝３に頭部４を掛止して、スライド可能に掛け止められる係止ピン５とを備えている。
そして、係止ピン５を係止アーム２のスライド溝３に挿入した状態でドアＤを開くと、ドアＤは係止ピン５がスライド溝３を移動する範囲内でしか開くことができず、半開きの状態でロックすることができる。
なお、係止ピン５は、基部の座金部分５ａが、係止ピン５を挟んで上下２箇所でドアフレームの戸当たりＦ１にねじ固定されている。
【０００３】
しかしながら、上記従来のドアガード装置では、係止ピン５がドアフレームＦの戸当たりＦ１から突出していることから、人が出入りする際に服や体に当たったり、玄関の見栄えを損ねるという問題があった。
【発明の開示】
【発明が解決しようとする課題】
【０００４】
本発明は、上記従来のドアガード装置が有する問題点に鑑み、係止ピンを使用するときに自動的に突出させることにより、出入りの邪魔にならないようにするとともに、玄関の見栄えを向上させ、さらに、従来の係止ピンを固定していたねじ穴を使用して取り付けることができるドアガード装置を提供することを目的とする。
【課題を解決するための手段】
【０００５】
上記目的を達成するため、本発明のドアガード装置は、ドアに係止アームを揺動可能に取り付けるとともに、該係止アームのスライド溝を、ドアフレームに設けた係止ピンにスライド可能に掛け止めるドアガード装置において、係止ピンを出没可能に収容するケーシングをドアフレームの戸当たりの室内側に配設し、該ケーシングから戸当たりに沿って、ねじ固定部を有する薄板状の取付ガイド部を延設するとともに、該取付ガイド部に摺動可能に案内され、戸当たり面側に付勢して突出する作動ボタンを設け、該作動ボタンが閉止したドアに押し込まれることにより係止ピンを係止アームが掛け止められる突出状態にし、かつドアを開放することにより作動ボタンが復帰して係止ピンを突出状態から退入状態にする出没機構を設けたことを特徴とする。
【０００６】
この場合において、出没機構が、揺動により出没するよう枢支された係止ピンと、係止ピンの基部に設けられたピニオンギヤと、該ピニオンギヤを回転させる、作動ボタンと共に摺動するラック部材とを備えることができる。
【０００７】
また、ねじ固定部が、ねじ軸が移動可能に挿通する長溝を有するねじアダプタと、該ねじアダプタを長溝の幅方向に移動可能に支持する開口部とを備えることができる。
【０００８】
また、作動ボタンに、閉止したドアとの隙間を吸収する調整ばねを設けることができる。
【０００９】
また、係止アームの台座に上下にあり溝を形成するとともに、該あり溝に摺動可能に挿入される台座レールを設け、該台座レールを介して台座を所定範囲で上下動可能にドアに取り付けることができる。
【００１０】
また、台座と台座レールを磁力で吸着するようにすることができる。
【発明の効果】
【００１１】
本発明のドアガード装置によれば、ドアに係止アームを揺動可能に取り付けるとともに、該係止アームのスライド溝を、ドアフレームに設けた係止ピンにスライド可能に掛け止めるドアガード装置において、係止ピンを出没可能に収容するケーシングをドアフレームの戸当たりの室内側に配設し、該ケーシングから戸当たりに沿って、ねじ固定部を有する薄板状の取付ガイド部を延設するとともに、該取付ガイド部に摺動可能に案内され、戸当たり面側に付勢して突出する作動ボタンを設け、該作動ボタンが閉止したドアに押し込まれることにより係止ピンを係止アームが掛け止められる突出状態にし、かつドアを開放することにより作動ボタンが復帰して係止ピンを突出状態から退入状態にする出没機構を設けることから、ドアを開けて出入りするときには係止ピンを自動的に退入させるとともに、係止アームを掛け止めるドアを閉じた状態では自動的に突出させることができ、これにより、出入りの邪魔にならないようにするとともに、玄関の見栄えを向上させることができる。
そして、戸当たりに沿って延設された薄板状の取付ガイド部を、そのねじ固定部を介して、従来の係止ピンを固定していたねじ穴にねじ固定することにより、出没機構を容易にドアフレームに固定することができる。
【００１２】
この場合、出没機構が、揺動により出没するよう枢支された係止ピンと、係止ピンの基部に設けられたピニオンギヤと、該ピニオンギヤを回転させる、作動ボタンと共に摺動するラック部材とを備えることにより、出没機構を薄くコンパクトな大きさに構成しながら、ドアの開閉により係止ピンを自動的に出没させることができる。
【００１３】
また、ねじ固定部が、ねじ軸が移動可能に挿通する長溝を有するねじアダプタと、該ねじアダプタを長溝の幅方向に移動可能に支持する開口部とを備えることにより、既存のねじ穴の間隔に応じてねじ位置を調整し、取付ガイド部を戸当たりに容易にねじ固定することができる。
【００１４】
また、作動ボタンに、閉止したドアとの隙間を吸収する調整ばねを設けることにより、ドアやドアフレームの寸法違いによる誤差を吸収することができる。
【００１５】
また、係止アームの台座に上下にあり溝を形成するとともに、該あり溝に摺動可能に挿入される台座レールを設け、該台座レールを介して台座を所定範囲で上下動可能にドアに取り付けることにより、地震によりドアが上下動した場合でも、係止アームが追随して移動することでドアガード装置に負荷をかけずに、ドアガード装置の故障を防止することができる。
【００１６】
また、台座と台座レールを磁力で吸着させることにより、台座と台座レールとを仮固定し、係止アームの上下位置の微調整を簡単に行うことができる。
【発明を実施するための最良の形態】
【００１７】
以下、本発明のドアガード装置の実施の形態を、図面に基づいて説明する。
【実施例１】
【００１８】
図１〜図７に、本発明のドアガード装置の一実施例を示す。
このドアガード装置は、例えば、図１１に示すように、ドアＤに台座１を介して揺動可能に取り付けられた係止アーム２と、ドアフレームＦ側に固定され、係止アーム２のスライド溝３に大径の頭部４を掛止して、スライド可能に掛け止められる係止ピン５とを備えている。
そして、このドアガード装置は、図１〜図２に示すように、係止ピン５を出没可能に収容するケーシング６をドアフレームＦの戸当たりＦ１の室内側に配設し、該ケーシング６から戸当たりＦ１の内側面に沿って、ねじ固定部７１を有する薄板状の取付ガイド部７を延設するとともに、該取付ガイド部７に摺動可能に案内され、戸当たり面Ｆ２側に付勢して突出する作動ボタン８を設け、該作動ボタン８が閉止したドアＤに押し込まれることにより係止ピン５を係止アーム２が掛け止められる突出状態にし、かつドアＤを開放することにより作動ボタン８が復帰して係止ピン５を突出状態から退入状態にする出没機構を設けている。
【００１９】
係止アーム２は、図５に示すように、中央にスライド溝３を備えたＵ字状の金属杆からなり、その基部には、台座１に枢支される１対の揺動軸２１が外側に一体に突設されている。
係止アーム２の台座１には、上下にあり溝１１が形成されるとともに、該あり溝１１に摺動可能に挿入される台座レール１２が設けられており、該台座レール１２を介して台座１を所定範囲で上下動可能にドアＤに取り付けられている。
台座１の移動範囲は、台座レール１２に設けた長穴１３と、台座１に螺合し該長穴１３に嵌挿されるねじ１４とによって規制されている。
また、台座１と台座レール１２を磁石１５の磁力で吸着させることにより、台座１と台座レール１２とを仮固定し、係止アーム２の上下位置の微調整を行えるようにするとともに、経年変化や地震によるドアＤやドアフレームＦの変形にも自動的に係止アーム２の位置調整が行われることによって対応して、ドアＤの開閉に支障が生じることを防止することができるようにしている。
【００２０】
一方、ケーシング６は、図６〜図７にも示すように、本体６ａとカバー６ｂとを備え、係止ピン５や出没機構を収容する箱状のものからなり、ドアフレームＦの戸当たりＦ１の室内側の面に基部が当接するように固定されている。
ケーシング６のドア側の側部からは、戸当たりＦ１の内側面に沿って、薄板状の取付ガイド部７が一体に延設されている。
取付ガイド部７は、少なくとも作動ボタン８と後述するラック部材とを案内する中央部が中空に形成されており、該中空部はケーシング６と連通している。
【００２１】
また、取付ガイド部７は、該取付ガイド部７を戸当たりＦ１の内側面にねじ固定するために、ねじ固定部７１を備えている。
ねじ固定部７１は、ねじ軸が移動可能に挿通する長溝７２ａを有するねじアダプタ７２と、該ねじアダプタ７２を長溝７２ａの幅方向に移動可能に支持する幅広の開口部７３とを備えている。
取付ガイド部７のねじ固定は、戸当たりＦ１に新規なねじ穴を開ける以外に、従来の係止ピンを固定していたねじ穴を使用することができる。
この場合、ねじ固定部７１を上記のように構成することにより、既存のねじ穴の間隔に応じてねじ位置を調整し、取付ガイド部７を戸当たりＦ１に容易にねじ固定することができる。
【００２２】
出没機構は、図２に示すように、本実施例では、揺動により出没するよう枢支された係止ピン５と、係止ピン５の基部に設けられたピニオンギヤ５２と、ピン９１ａで枢支され該ピニオンギヤ５２と噛合する伝達ギヤ９１と、該伝達ギヤ９１と噛合するラック９ａを有し、作動ボタン８と共に摺動するラック部材９とを備えている。
伝達ギヤ９１は、本実施例ではピニオンギヤからなり、係止ピン５を水平方向に揺動するようにしている。
この場合、係止ピン５を上下に揺動するように枢支し、伝達ギヤ９１を、係止ピン５のピニオンギヤ５２と噛合するウォームギヤと、ラック部材９と噛合するピニオンギヤとを一体に備えて構成することもできる（図示省略）。
また、図８〜図９に示す変形実施例のように、伝達ギヤ９１を省略し、ピニオンギヤ５２をラック部材９のラック９ａにより直接回転させるように構成することもできる。
【００２３】
係止ピン５は、ケーシング６の１対の支持片６１に、ヘッドピン５１及び軸スペーサ５３を介して水平方向に揺動可能に枢支されており、戸当たり面Ｆ２と平行な姿勢で突出状態となり、戸当たり面Ｆ２と直交する姿勢で退入状態となる。
係止ピン５の基部には、部分的に歯を設けたピニオンギヤ５２が一体に設けられており、係止ピン５の突出角度を規定できるように伝達ギヤ９１と噛合している。
係止ピン５は、作動ボタン８でラック部材９が押し込まれることにより、該ラック部材９と噛合する伝達ギヤ９１を介して突出状態に揺動するとともに、後述する作動ばね８１で作動ボタン８とラック部材９が復帰することにより退入状態に揺動する。
なお、係止ピン５は、ケーシング６のカバー６ｂに設けたスリット６２を介して、作動ボタン８と直交する方向に突出する。
【００２４】
ラック部材９は、後部のラック９ａが伝達ギヤ９１と噛合するとともに、先端部が作動ボタン８と共に摺動するように該作動ボタン８と連結されている。
ラック部材９は、ケーシング６との間に介設した作動ばね８１を備え、該作動ばね８１により、ラック部材自体と作動ボタン８とを突出方向に付勢している。
なお、ラック部材９は、後部側がオフセットしており、このオフセット部分がケーシング６の一部に当接することにより、ラック部材９と作動ボタン８の突出位置を規定している。
【００２５】
作動ボタン８は、図１に示すように、閉止したドアＤに押し込まれることによりラック部材９を押し込み、ドアＤを開放することにより、作動ばね８１によりラック部材９と共に元の位置に復帰する。
作動ボタン８とラック部材９の間には、閉止したドアＤとの隙間を吸収する調整ばね８２が設けられており、これにより、ドアＤやドアフレームＦの寸法違いによる誤差を吸収するようにしている。
調整ばね８２は、作動ボタン８の作動ばね８１より圧縮強度が強くなっており、作動ボタン８の作動ばね８１が収縮した後に、伸縮可能な連結状態にある作動ボタン８とラック部材９を収縮させるようにされている。
より具体的には、例えば、図８〜図９に示す変形実施例のように、作動ボタン８が閉止したドアＤに押し込まれた際に、まず、作動ばね８１が収縮することによって、ラック部材９が取付ガイド部７に形成したストッパ片７４に沿ってラック部材９の凹部９ｂの範囲で摺動し（図９（ａ）→図９（ｂ））、その後、作動ばね８２が収縮することによって、伸縮可能な連結状態にある作動ボタン８とラック部材９を収縮させるようにしている（図９（ｂ）→図９（ｃ））。
これにより、ドアＤやドアフレームＦの寸法違いや取付誤差、経年変化による取付位置の変動等による誤差を吸収し、装置の動作を安定して行うことができるようにするとともに、作動ボタン８に誤って大きな負荷がかかることによって装置が破損することを未然に防止するようにしている。
なお、本実施例では、作動ボタン８とラック部材９を調整ばね８２を介して連結するようにしているが、作動ボタン８とラック部材９を一体に形成することも可能である。
【００２６】
このように構成されたドアガード装置は、図３（ｂ）に示すように、ケーシング６の基部が戸当たりＦ１の室内側の面に当接するように、ねじ固定部７１でねじ位置を調整しながら、取付ガイド部７を戸当たりＦ１の内側面にねじ固定する。
この場合、戸当たりＦ１の厚みＴが小さいときには、図３（ａ）に示すように、ケーシング６の基部と戸当たりＦ１の間に板状のスペーサ６３を適宜数挿入することにより、作動ボタン８の先端位置をドアＤの当接位置に合わせることができる。
【００２７】
次に、本実施例のドアガード装置の動作を説明する。
ドアＤが開放されているときは、図１（ｂ）に示すように、作動ボタン８とラック部材９が押し込まれないため、ラック部材９が突出状態にあり、伝達ギヤ９１と係止ピン５のピニオンギヤ５２の作用により、係止ピン５は退入状態にある。
【００２８】
一方、ドアＤが閉止すると、図１（ａ）に示すように、作動ボタン８とラック部材９が押し込まれ、ラック部材９が伝達ギヤ９１を介して係止ピン５のピニオンギヤ５２を回転させることにより、係止ピン５が揺動して突出状態になる。
【００２９】
かくして、本実施例のドアガード装置は、ドアＤに係止アーム２を揺動可能に取り付けるとともに、該係止アーム２のスライド溝３を、ドアフレームＦに設けた係止ピン５にスライド可能に掛け止めるドアガード装置において、係止ピン５を出没可能に収容するケーシング６をドアフレームＦの戸当たりＦ１の室内側に配設し、該ケーシング６から戸当たりＦ１の内側面に沿って、ねじ固定部７１を有する薄板状の取付ガイド部７を延設するとともに、該取付ガイド部７に摺動可能に案内され、戸当たり面Ｆ２側に付勢して突出する作動ボタン８を設け、該作動ボタン８が閉止したドアＤに押し込まれることにより係止ピン５を係止アーム２が掛け止められる突出状態にし、かつドアＤを開放することにより作動ボタン８が復帰して係止ピン５を突出状態から退入状態にする出没機構を設けることから、ドアＤを開けて出入りするときには係止ピン５を自動的に退入させるとともに、係止アーム２を掛け止めるドアＤを閉じた状態では自動的に突出させることができ、これにより、出入りの邪魔にならないようにするとともに、玄関の見栄えを向上させることができる。
そして、戸当たりＦ１の内側面に沿って延設された薄板状の取付ガイド部７を、そのねじ固定部７１を介して、従来の係止ピンを固定していたねじ穴にねじ固定することにより、出没機構を容易にドアフレームＦに固定することができる。
【００３０】
この場合、出没機構が、揺動により出没するよう枢支された係止ピン５と、係止ピン５の基部に設けられたピニオンギヤ５２と、該ピニオンギヤ５２を回転させる、作動ボタン８と共に摺動するラック部材９とを備えることにより、出没機構を薄くコンパクトな大きさに構成しながら、ドアＤの開閉により係止ピン５を自動的に出没させることができる。
【００３１】
また、ねじ固定部７１が、ねじ軸が移動可能に挿通する長溝７２ａを有するねじアダプタ７２と、該ねじアダプタ７２を長溝７２ａの幅方向に移動可能に支持する開口部７３とを備えることにより、既存のねじ穴の間隔に応じてねじ位置を調整し、取付ガイド部７を戸当たりＦ１に容易にねじ固定することができる。
【００３２】
また、作動ボタン８に、閉止したドアＤとの隙間を吸収する調整ばね８２を設けることにより、ドアＤやドアフレームＦの寸法違いによる誤差を吸収することができる。
【００３３】
また、係止アーム２の台座１に上下にあり溝１１を形成するとともに、該あり溝１１に摺動可能に挿入される台座レール１２を設け、該台座レール１２を介して台座１を所定範囲で上下動可能にドアＤに取り付けることにより、地震によりドアＤが上下動した場合でも、係止アーム２が追随して移動することでドアガード装置に負荷をかけずに、ドアガード装置の故障を防止することができる。
【００３４】
また、台座１と台座レール１２を磁力で吸着させることにより、台座１と台座レール１２とを仮固定し、係止アーム２の上下位置の微調整を簡単に行うことができる。
【００３５】
以上、本発明のドアガード装置について、その実施例に基づいて説明したが、本発明は上記実施例に記載した構成に限定されるものではなく、その趣旨を逸脱しない範囲において適宜その構成を変更することができる。
【産業上の利用可能性】
【００３６】
本発明のドアガード装置は、係止ピンを使用するときに自動的に突出させることにより、出入りの邪魔にならないようにするとともに、玄関の見栄えを向上させ、さらに、従来の係止ピンを固定していたねじ穴を使用して取り付けることができるという特性を有していることから、使い勝手で高品位な後付のドアガード装置として広く好適に用いることができる。
【図面の簡単な説明】
【００３７】
【図１】本発明のドアガード装置の一実施例を示し、（ａ）はドアを閉止したときの平面図、（ｂ）はドアを開放したときの平面図である。
【図２】同ドアガード装置の出没機構を示し、（ａ）はドアを閉止したときの断面平面図、（ｂ）はドアを開放したときの断面平面図、（ｃ）は同断面正面図、（ｄ）はドアを閉止したときの平面図、（ｅ）はドアを開放したときの平面図、（ｆ）は同正面図である。
【図３】同ドアガード装置のドアフレームへの取付状態を示し、（ａ）は戸当たりの厚みが大きい場合を示す２面図、（ｂ）は戸当たりの厚みが小さい場合を示す２面図、（ｃ）はスペーサの２面図である。
【図４】同ドアガード装置を示し、（ａ）は戸当たりの厚みが小さい場合を示す平面図、（ｂ）は戸当たりの厚みが大きい場合を示す平面図である。
【図５】係止アームと台座を示し、（ａ）はその分解平面図、（ｂ）は同分解側面図、（ｃ）は同組立側面図、（ｄ）は同組立平面図である。
【図６】（ａ）は係止ピンの２面図、（ｂ）はラック部材の２面図、（ｃ）はケーシング本体の２面図、（ｄ）はねじアダプタの２面図、（ｅ）は伝達ギヤの２面図、（ｆ）は作動ボタンの２面図である。
【図７】（ａ）はケーシングのカバーの２面図、（ｂ）は作動ばねの正面図、（ｃ）は調整ばねの正面図、（ｄ）はスペーサの２面図、（ｅ）は軸スペーサの２面図、（ｆ）はヘッドピンの正面図、（ｇ）は伝達ギヤピンの正面図である。
【図８】本発明のドアガード装置の変形実施例を示し、（ａ）はドアガード装置の出没機構、（ｂ）は係止ピンの２面図、（ｃ）はラック部材の２面図、（ｄ）は作動ボタンの２面図である。
【図９】同変形実施例のドアガード装置の出没機構の動作の説明図である。
【図１０】従来のドアガード装置を示し、（ａ）は戸当たりの厚みが小さい場合を示す平面図、（ｂ）は戸当たりの厚みが大きい場合を示す平面図である。
【図１１】ドアガード装置の取付状態を示し、（ａ）は係止アームを示す正面図、（ｂ）は係止ピンを係止アームに掛止した状態を示す平面図、（ｃ）は係止ピンを係止アームに掛止した状態でドアを開いた平面図、（ｄ）はドアガード装置を解錠して係止ピンを係止アームから抜いた状態を示す平面図である。
【符号の説明】
【００３８】
Ｄ    ドア
Ｆ    ドアフレーム
Ｆ１  戸当たり
Ｆ２  戸当たり面
１    台座
１１  あり溝
１２  台座レール
１３  長穴
１４  ねじ
１５  磁石
２    係止アーム
２１  揺動軸
３    スライド溝
４    頭部
５    係止ピン
５１  ヘッドピン
５２  ピニオンギヤ
５３  軸スペーサ
６    ケーシング
６１  支持片
６２  スリット
６３  スペーサ
７    取付ガイド部
７１  ねじ固定部
７２  ねじアダプタ
７２ａ  長溝
７３  開口部
８    作動ボタン
８１  作動ばね
８２  調整ばね
９    ラック部材
９ａ  ラック
９１  伝達ギヤ
【図１】
2010116757.tif 000003
【図２】
2010116757.tif 000004
【図３】
2010116757.tif 000005
【図４】
2010116757.tif 000006
【図５】
2010116757.tif 000007
【図６】
2010116757.tif 000008
【図７】
2010116757.tif 000009
【図８】
2010116757.tif 000010
【図９】
2010116757.tif 000011
【図１０】
2010116757.tif 000012
【図１１】
2010116757.tif 000013